(57)【要約】【課題】安定してシートを印刷ユニットへ給紙可能な枚葉印刷機の給紙装置を提供する。【解決手段】シート束２から最上段のシート２ａを吸引搬送し、幅方向に複数並んで配置されたフィーダーローラ２１を前記シート２ａに接触させて前記シート２ａを給紙する枚葉印刷機の給紙装置Ｓにおいて、圧力源４５と、当該圧力源４５から分岐された複数の接続管４６と、分岐された各接続管４６に接続され、圧力源４５から供給される供給体によってシート２ａに各フィーダーローラ２１を一定の圧力で接触させる複数のシリンダ装置２７と、フィーダーローラ２１をシート２ａに接離可能な接離機構部と、を備える。【選択図】図５
2013212891.tif 000002
【特許請求の範囲】
【請求項１】
シート束から最上段のシートを吸引搬送し、幅方向に複数並んで配置されたフィーダーローラを前記シートに接触させて前記シートを給紙する枚葉印刷機の給紙装置において、
圧力源と、
当該圧力源から分岐された複数の接続管と、
分岐された各接続管に接続され、前記圧力源から供給される供給体によって前記シートに各フィーダーローラを一定の圧力で接触させる複数のシリンダ装置と、
前記フィーダーローラを前記シートに接離可能な接離機構部と、
を備えることを特徴とする枚葉印刷機の給紙装置。
【請求項２】
前記シートに対するフィーダーローラの接触圧力を調整する圧力調整手段を更に備えていることを特徴とする請求項１に記載の枚葉印刷機の給紙装置。
【請求項３】
前記シリンダ装置は、
油圧、又は空気圧を前記供給体とすることを特徴とする請求項１に記載の枚葉印刷機の給紙装置。
【発明の詳細な説明】
【技術分野】
【０００１】
本発明は、オフセット印刷方式や活版印刷方式などの枚葉印刷機の給紙装置に関する。
【背景技術】
【０００２】
一般的な枚葉印刷機の給紙装置は、積層された複数枚のシートを１枚ごとに分離して次工程の印刷ユニットに送り出す装置である。また、給紙装置から送り出されたシートは、フィーダーボードに受け渡されて印刷ユニットへと搬送される。
【０００３】
この種の給紙装置は、シートを分離する分離装置と、分離装置により分離されたシートをフィーダーボード上へと受け渡すシート受け渡し装置と、を備えている。
【０００４】
シート受け渡し装置は、シートの幅方向に均等に複数配置されたフィーダーコロを備え、分離装置により分離されたシートを当該フィーダーコロで受け取り、フィーダーボード上へと受け渡す。
【０００５】
従来のシート受け渡し装置は、フィーダーコロ毎にバネを備えたネジ式の調整機構が設けられており、このバネによってシートに加わる圧力が調整される。
【０００６】
シートを適切に搬送するには、各フィーダーコロの位置と圧力が同一となるように調整する必要がある。
【０００７】
また、適切にシートが送られていない場合において、フィーダーコロによるシートへの圧力をフィーダーコロ毎に変化させてシートを適切にフィーダーボード上へと送る調整機構を備えた枚葉印刷機が知られている（特許文献１参照）。
【先行技術文献】
【特許文献】
【０００８】
【特許文献１】特開２００８−６６３２号公報
【発明の概要】
【発明が解決しようとする課題】
【０００９】
特許文献１に示す枚葉印刷機は、適切にシートが搬送されているか否かを検出し、適切に搬送されていないと判断された場合において、用紙への接触圧力を調整可能であるものの、根本的な解決には至っていない。
【００１０】
また、上述したネジ式の調整機構を採用した給紙装置では、バネの有する弾性力は必ずしも同一ではないため、シートに対する各フィーダーローラの接触圧力を同一に調整するために時間を要し、さらには、経年劣化等によって長期間安定してシートを搬送することができない。
【００１１】
そこで、本発明は、上記問題点に鑑みてなされたものであり、その目的の一例は、安定してシートを印刷ユニットへ給紙可能な枚葉印刷機の給紙装置を提供することである。
【課題を解決するための手段】
【００１２】
上記課題を解決するために、請求項１に記載の枚葉印刷機の給紙装置（Ｓ）は、シート束（２）から最上段のシート（２ａ）を吸引搬送し、幅方向に複数並んで配置されたフィーダーローラ（２１）を前記シートに接触させて前記シートを給紙する枚葉印刷機の給紙装置において、圧力源（４５）と、当該圧力源から分岐された複数の接続管（４６）と、分岐された各接続管に接続され、前記圧力源から供給される供給体によって前記シートに各フィーダーローラを一定の圧力で接触させる複数のシリンダ装置（２７）と、前記フィーダーローラを前記シートに接離可能な接離機構部と、を備えることを特徴とする。
【００１３】
また、請求項２に記載の枚葉印刷機の給紙装置は、請求項１に記載の枚葉印刷機の給紙装置において、前記シートに対するフィーダーローラの接触圧力を調整する圧力調整手段を更に備えていることを特徴とする。
【００１４】
また、請求項３に記載の枚葉印刷機の給紙装置は、請求項１に記載の枚葉印刷機の給紙装置において、前記シリンダ装置は、油圧、又は空気圧を前記供給体とすることを特徴とする。
【発明の効果】
【００１５】
本発明における給紙装置によれば、シートを安定して搬送することができる。
【図面の簡単な説明】
【００１６】
【図１】給紙装置の構成を示す模式図である。
【図２】給紙装置の動作例を示す模式図である。
【図３】給紙装置の動作例を示す模式図である。
【図４】シート受け渡し装置の構成を示し、図４（ａ）はシートに接触させた状態を示す模式図、図４（ｂ）はシートから離反させた状態を示す模式図である。
【図５】シート受け渡し装置を上から視認したときの構成を示す模式図である。
【発明を実施するための形態】
【００１７】
以下に、本願発明の最良の実施形態を添付図面に基づいて説明する。
【００１８】
本発明の枚葉印刷機の給紙装置について詳述する。まず、給紙装置の構成等について説明する。
【００１９】
給紙装置Ｓは、積層されたシート束２から最上段のシート２ａを１枚だけ分離する分離装置１０と、分離装置１０により分離されたシート２ａをフィーダーボード４上へと受け渡すシート受け渡し装置２０と、を備えている。
【００２０】
分離装置１０は、筐体１０ａを有しており、この筐体１０ａには、上下方向に移動可能な第１の吸引パッド１２と、前記第１の吸引パッド１２により吸引されたシート２ａを水平方向に移動可能な第２の吸引パッド１４と、を備えている。
【００２１】
第１及び第２の吸引パッド１２、１４は、大気を吸い込む吸込口１２ａ、１４ａを有しており、この吸込口１２ａ、１４ａは、筐体１０ａの内部に設けられた吸引装置７とダクト等の接続部材８を介して接続されている。
【００２２】
第１の吸引パッド１２は、筐体１０ａに固定されたシリンダ装置１６のピストンロッドに連結されて、積層されたシート束２の上方に配置される。そして、ピストンロッドがシリンダ装置１６により下降駆動されて最上段のシート２ａの表面を吸引後、上方駆動されて最上段のシート２ａのみが分離される。
【００２３】
一方、第２の吸引パッド１４は、筐体１０ａに固定された前後一対のガイドローラ１７ａ、１７ｂに巻回された無端ベルト１８に連結される。無端ベルト１８は、水平方向であってフィーダーボード４側へと延びるように配置されている。また、一方のガイドローラ１７ｂには回転駆動可能なモータ等の駆動装置１９が連結されており、この駆動装置１９の駆動によって、無端ベルト１８が回転し第２の吸引パッド１４が前後水平方向に移動する。
【００２４】
図１及び図５に示すように、フィーダーボード４には、シート２ａの搬送方向の両端部にガイドローラ３１、３２が設けられており、ガイドローラ３１、３２、及び他のガイドローラ３３にはその幅方向に均等に複数の無端ベルト３５が取り付けられている。また、一方のガイドローラ３２には回転駆動可能なモータ等の駆動装置３６が連結されており、この駆動装置３６の駆動によって、無端ベルト３５が回転し、当該無端ベルト３５上に搬送されるシート２ａが下流に配置される図示しない印刷ユニットへと搬送される。
【００２５】
シート受け渡し装置２０は、図４及び図５に示すように、シート２ａの幅方向に均等に複数配置されたフィーダーコロ２１、・・・、２１と、前記フィーダーコロ２１を適切な押圧力でシート２ａに接触させる押圧力調整機構部２３と、前記フィーダーコロ２１をシート２ａに接離させる接離機構部と、を備えている。
【００２６】
押圧力調整機構部２３は、図４及び図５に示すように、フィーダーコロ２１を回転可能に支持する第１の支持体２６と、当該第１の支持体２６の上方に取付体２４を介して取り付けられる第２の支持体２５と、第１及び第２の支持体２５、２６の間であって前記取付体２４よりも後方に配置されるシリンダ装置２７と、第１及び第２の支持体２５、２６の間であって前記取付体２４よりも前方に配置されるスペーサ２９と、を備えている。
【００２７】
シート２ａの幅方向に配置される複数の第１の支持体２６は、外形が円形状の連結体２８によりそれぞれが取付体２４に対して回転可能に取り付けられる。また、シート２ａの幅方向に配置される複数の第２の支持体２５は、図示しない印刷装置等のフレームに回転可能に固定されているシャフト２２に取付体２４とともに固定されており、当該シャフト２２には、モータ等の駆動部が取り付けられている。
【００２８】
また、シリンダ装置２７は、第２の支持体２５とピン結合により回動可能に取り付けられる一方で、シリンダ装置２７のロッド２７ａが第１の支持体２６とピン結合により回動可能に取り付けられる。
【００２９】
前記シャフト２２に取り付けられる駆動部は上述した接離機構部として機能するものであって、給紙装置Ｓによる給紙タイミングに連動させて当該駆動部を駆動してシャフト２２を回転することにより、第１及び第２の支持体２５、２６を介してフィーダーローラ２１をシート２ａ（ガイドローラ３１）に対して接触又は離反させる。
【００３０】
すなわち、駆動部の駆動によって、フィーダーローラ２１をガイドローラ３１（又はシート２ａ）に接触させる接触位置（図４（ａ）参照）と前記ガイドローラ３１（又はシート２ａ）から離反させる離反位置（図４（ｂ）参照）とに移動可能となっている。
【００３１】
また、フィーダーローラ２１をガイドローラ３１に接触させた位置において、フィーダーローラ２１はシリンダ装置２７による付勢力によりガイドローラ３１（又はシート２ａ）に対して所定の押圧力により接触する。
【００３２】
また、スペーサ２９は、第１の支持体２６の下端部又は第２の支持体２５の上端部に取り付けられ、フィーダーローラ２１をガイドローラ３１（又はシート２ａ）から離反した際に、連結体２８を支点として下方へと回動するシリンダ装置２７の回転範囲を規制し、さらには、このスペーサ２９のサイズ（高さ）を適宜変更することによって、ガイドローラ３１（又はシート２ａ）に接触するタイミングを変えることが可能となっている。
【００３３】
そして、図３に示すように、シート受け渡し装置２０は、シート２ａの先端部が搬送される際に、接離機構部によってフィーダーコロ２１を押し下げて、押圧力調整機構部２３によって調整された所定の押圧力でもって、フィーダーボード４の上流側に配置されたガイドローラ３１との間でシート２ａの先端部を挟み込む。なお、シート２ａは、無端ベルト３５によって、フィーダーボード４上へと送り出される。
【００３４】
また、各シリンダ装置２７には、例えば、各シリンダ装置２７に空気（本願の供給体）を所定の圧力で供給するための空気供給装置４５と接続されている接続管４６が分岐されて接続されている。
【００３５】
この空気供給装置４５は、本願の圧力源として機能し、例えば、空気を圧縮するコンプレッサと、圧力を調整するバルブなどの圧力調整機構（本願の圧力調整手段）と、を備えており、所定の圧力の空気を供給可能となっている。なお、この圧力調整により、シート２ａに対するフィーダーコロ２１の接触圧力が調整される。
【００３６】
このようにして、第１の支持体２６には、常時、シリンダ装置２７によって付勢力が加わっており、さらには、全ての各シリンダ装置２７が空気供給装置４５から分岐された接続管４６と接続されているため、フィーダーコロ２１をシート２ａに対して同一の圧力で接触可能となっている。
【００３７】
よって、本実施形態の接離機構部によれば、フィーダーコロ２１の圧力変化によって発生するシート２ａの搬送不良を容易に防止することができ、シート２ａをフィーダーボード４上に安定して搬送することが可能である。
【００３８】
次に、本実施形態の給紙装置の動作例について説明する。
【００３９】
まず、図２に示すように、ピストンロッドがシリンダ装置１６の駆動により下降駆動されることにより、第１の吸引パッド１２が下方に移動し、更に吸引装置７の駆動により最上段のシート２ａを吸引した後、当該第１の吸引パッド１２が上方に移動してシート束２から最上段のシート２ａが分離される。
【００４０】
次に、図２及び図３に示すように、第２の吸引パッド１４が吸引装置７の駆動により、シート２ａが吸引され、第１の吸引パッド１２による吸引が停止されることにより、シート２ａが第２の吸引パッド１４に受け渡される。また、駆動装置１９が駆動されて第２の吸引パッド１４が前方のフィードボード４側へと移動し、シート２ａの先端部がフィードローラ２１とガイドローラ３１間に挿入される。
【００４１】
次に、シート受け渡し装置２０へのシート２ａの給紙タイミングに連動してシート受け渡し装置２０の全体を支持するシャフト２２が駆動部の駆動により回転駆動されて、シート受け渡し装置２０がシャフト２２を支点として下方へと回動し、フィーダーローラ２１とガイドローラ３１との間でシート２ａに対してシリンダ装置２７の付勢力による所定の圧力で接触し、シート２ａがフィーダーボード４上に搬送される。
【００４２】
なお、各シリンダ装置２７には、接続管４６を介して同一の空気供給装置４５から所定の圧力に調整された空気が供給されるためシート２ａに対する各フィーダーコロ２１の接触圧力は同一となり、シート２ａが曲がることなく適切にフィーダーボード４上に搬送される。また、フィーダーボード４上に搬送されたシート２ａは、無端ベルト３５によって印刷ユニットへと搬送される。
【００４３】
以上に説明したように本実施形態の給紙装置Ｓは、シート束２から最上段のシート２ａを吸引搬送し、シート２ａの幅方向に複数並んで配置されるフィーダーローラ２１を前記シート２ａに接触させて前記シート２ａをフィーダーボード４上へと給紙する枚葉印刷機の給紙装置Ｓにおいて、空気を供給する空気供給装置４５と、この空気供給装置４５から分岐された複数の接続管４６と、分岐された各接続管４６に接続され、空気供給装置４５から供給される空気（圧縮空気）によって前記シート２ａに各フィーダーローラ２１を一定の圧力で接触させる複数のシリンダ装置２７と、前記フィーダーローラ２１を前記シート２ａに接離可能なシャフト２２に連結された駆動部と、を備えている。また、シート２ａに対するフィーダーローラ２１の接触圧力は適宜調整可能となっている。さらに、シリンダ装置２７は、油圧、又は空気圧による構成を採用することができる。
【００４４】
このように構成された給紙装置Ｓによれば、シートの幅方向に並んで配置される複数のフィードローラによるシートに対する接触圧力を同一に調整可能であるため、搬送されるシートを受け取った後フィーダーボード上に曲がることなく安定して適正に搬送することができる。
【００４５】
なお、以上説明した実施形態は特許請求の範囲にかかる発明を限定するものではない。そして、上記実施形態の中で説明されている構成の組み合わせのすべてが発明の課題解決に必須の手段であるとは限らない。
【００４６】
具体的には、本実施形態における接離機構部のシリンダ装置２７は、空気圧を用いているが、油圧による構成としても構わない。
【符号の説明】
【００４７】
Ｓ        給紙装置
２        シート束
２ａ      シート
４        フィーダーボード
２１        フィーダーローラ
２７        シリンダ装置
４５        空気供給装置
４６        接続管
【図１】
2013212891.tif 000003
【図２】
2013212891.tif 000004
【図３】
2013212891.tif 000005
【図４】
2013212891.tif 000006
【図５】
2013212891.tif 000007